(57)【要約】【課題】不具合が生じない手順およびタイミングで硫黄化学発光検出器の各制御対象を操作することを可能にする分析システム、表示制御方法および表示制御プログラムを提供する。【解決手段】表示制御部は、操作受付部により自動起動処理の開始が受け付けられると、複数の制御対象の作動順序を示す第１の方向画像を表示部に表示させ、作動状態になった制御対象に対応する状態画像６１〜６８を順次第１の態様に変化させ、複数の操作画像７１〜７８の各々を操作可能な第１の状態または操作不可能な第２の状態に変化させ、操作受付部により自動停止処理の開始が受け付けられると、複数の制御対象の停止順序を示す第２の方向画像を第１の方向画像とは逆向きに表示部に表示させ、停止状態になった制御対象に対応する状態画像６１〜６８を順次第２の態様に変化させ、複数の操作画像７１〜７８の各々を第１の状態または第２の状態に変化させる。【選択図】図２
2020038104.tif 000002
【特許請求の範囲】
【請求項１】
複数の制御対象を含む硫黄化学発光検出器と、
表示部と、
前記表示部を制御する表示制御装置とを備え、
前記表示制御装置は、
前記複数の制御対象に対応する複数の状態画像を作動順序で並べて前記表示部に表示させるとともに、前記複数の制御対象に対応する複数の操作画像を操作可能に前記表示部に表示させる表示制御部と、
自動起動処理の開始の操作および自動停止処理の操作を受け付ける操作受付部とを含み、
前記表示制御部は、前記操作受付部により前記自動起動処理の開始が受け付けられると、前記複数の制御対象の作動順序を示す第１の方向画像を前記表示部に表示させ、前記硫黄化学発光検出器からの指令に基づいて、作動状態になった制御対象に対応する状態画像を順次第１の態様に変化させ、前記複数の操作画像の各々を操作可能な第１の状態または操作不可能な第２の状態に変化させ、前記操作受付部により前記自動停止処理の開始が受け付けられると、前記複数の制御対象の停止順序を示す第２の方向画像を前記第１の方向画像とは逆向きに前記表示部に表示させ、前記硫黄化学発光検出器からの指令に基づいて、停止状態になった制御対象に対応する状態画像を順次第２の態様に変化させ、前記複数の操作画像の各々を前記第１の状態または前記第２の状態に変化させる、分析システム。
【請求項２】
前記操作受付部は、前記自動起動処理の中断の操作および各操作画像への操作を受け付けるように構成され、前記複数の操作画像のうち前記第１の状態にある操作画像への操作を受け付けるように構成され、
前記表示制御部は、前記自動起動処理の中断の操作が受け付けられると、前記複数の状態画像の表示態様および前記複数の操作画像の表示状態を保持した後、前記硫黄化学発光検出器からの指令に基づいて、前記第１の状態にある操作画像のうち操作された操作画像の表示状態を変化させるとともに関連する状態画像の表示態様を変化させる、請求項１記載の分析システム。
【請求項３】
前記操作受付部は、前記自動停止処理の中断の操作および各操作画像への操作を受け付けるように構成され、前記複数の操作画像のうち前記第１の状態にある操作画像への操作を受け付けるように構成され、
前記表示制御部は、前記自動停止処理の中断の操作が受け付けられると、前記複数の状態画像の表示態様および前記複数の操作画像の表示状態を保持した後、前記硫黄化学発光検出器からの指令に基づいて、前記第１の状態にある操作画像の操作のうち操作された操作画像の表示状態を変化させるとともに関連する状態画像の表示態様を変化させる、請求項１または２記載の分析システム。
【請求項４】
前記表示制御部は、前記第１の状態にある操作画像が操作された場合に、当該操作画像が操作されたことを示す操作信号を前記硫黄化学発光検出器に送信し、前記第２の状態にある操作画像が操作された場合に前記操作信号を前記硫黄化学発光検出器に送信しない、請求項１〜３のいずれかに記載の分析システム。
【請求項５】
前記表示制御部は、前記自動起動処理の完了後に前記第１の方向画像を消去し、前記自動停止処理の完了後に前記第２の方向画像を消去する、請求項１〜４のいずれかに記載の分析システム。
【請求項６】
前記硫黄化学発光検出器は、
前記複数の状態画像の各々を対応する制御対象の状態に基づいて前記第１の態様または前記第２の態様で表示させる指令を前記表示制御部に送信し、前記複数の制御対象の状態および予め定められた動作条件に基づいて前記複数の操作画像の各々を前記第１の状態または前記第２の状態に変化させる指令を前記表示制御部に送信する検出制御部を含む、請求項１〜５のいずれか一項に記載の分析システム。
【請求項７】
複数の制御対象を含む硫黄化学発光検出器の操作のために表示部を制御する表示制御方法であって、
前記複数の制御対象に対応する複数の状態画像を作動順序で並べて前記表示部に表示させるとともに、前記複数の制御対象に対応する複数の操作画像を操作可能に前記表示部に表示させるステップと、
自動起動処理の開始の操作または自動停止処理の操作または各操作画像への操作を受け付けるステップと、
前記自動起動処理の開始が受け付けられると、前記複数の制御対象の作動順序を示す第１の方向画像を前記表示部に表示させ、前記硫黄化学発光検出器からの指令に基づいて、作動状態になった制御対象に対応する状態画像を順次第１の態様に変化させ、前記複数の操作画像の各々を操作可能な第１の状態または操作不可能な第２の状態に変化させるステップと、
前記自動停止処理の開始が受け付けられると、前記複数の制御対象の停止順序を示す第２の方向画像を前記第１の方向画像とは逆向きに前記表示部に表示させ、前記硫黄化学発光検出器からの指令に基づいて、停止状態になった制御対象に対応する状態画像を順次第２の態様に変化させ、前記複数の操作画像の各々を前記第１の状態または前記第２の状態に変化させるステップとを含む、表示制御方法。
【請求項８】
複数の制御対象を含む硫黄化学発光検出器の操作のために表示部を制御する表示制御プログラムであって、
前記複数の制御対象に対応する複数の状態画像を作動順序で並べて前記表示部に表示させるとともに、前記複数の制御対象に対応する複数の操作画像を操作可能に前記表示部に表示させるステップと、
自動起動処理の開始の操作または自動停止処理の操作を受け付けるステップと、
前記自動起動処理の開始が受け付けられると、前記複数の制御対象の作動順序を示す第１の方向画像を前記表示部に表示させ、前記硫黄化学発光検出器からの指令に基づいて、作動状態になった制御対象に対応する状態画像を順次第１の態様に変化させ、前記複数の操作画像の各々を操作可能な第１の状態または操作不可能な第２の状態に変化させるステップと、
前記自動停止処理の開始が受け付けられると、前記複数の制御対象の停止順序を示す第２の方向画像を前記第１の方向画像とは逆向きに前記表示部に表示させ、前記硫黄化学発光検出器からの指令に基づいて、停止状態になった制御対象に対応する状態画像を順次第２の態様に変化させ、前記複数の操作画像の各々を前記第１の状態または前記第２の状態に変化させるステップとを、コンピュータに実行させる、表示制御プログラム。
【発明の詳細な説明】
【技術分野】
【０００１】
本発明は、硫黄化学発光検出器を備えた分析システム、表示制御方法および表示制御プログラムに関する。
【背景技術】
【０００２】
試料混合物中の硫黄の含有量を定量検出するための成分分析装置である硫黄化学発光検出器（Ｓｕｌｆｕｒ  Ｃｈｅｍｉｌｕｍｉｎｅｓｃｅｎｃｅ  Ｄｅｔｅｃｔｏｒ：以下、ＳＣＤと呼ぶ。）が知られている。例えば、特許文献１には、ＳＣＤを用いたガスクロマトグラフが記載されている。
【０００３】
一方、特許文献２には、クロマトグラフデータ測定の際に、測定に必要な操作および設定項目を一連の流れに沿ってフローチャート方式で表示するクロマトグラフデータ処理装置が記載されている。
【先行技術文献】
【特許文献】
【０００４】
【特許文献１】特開２０１５−５９８７６号公報
【特許文献２】特開２０１０−２５６３７５号公報
【発明の概要】
【発明が解決しようとする課題】
【０００５】
ＳＣＤを用いたガスクロマトグラフ等の分析装置は、自動起動機能および自動停止機能を有する場合がある。自動起動機能および自動停止機能によると、各種ガスの供給および停止、真空ポンプのオンオフ、および検出器のオンオフ等の操作が予め定められた手順で自動的に実行される。
【０００６】
しかしながら、メンテナンスまたはトラブルシューティング等のために分析装置の起動および停止を手動操作で行うことがある。あるいは、自動起動または自動停止の途中で分析装置を一時的に停止し、別の操作を行った後に分析装置の起動等を再開することがある。このような場合、分析装置の各部分を正しい手順およびタイミングで操作しなければ、性能低下または故障の原因につながる。そのため、分析装置の動作について熟知した者でなければ、手動で分析装置の起動時または停止時に各部の操作を行うことは難しい。
【０００７】
上記の特許文献２に記載されたクロマトグラフデータ処理装置によると、測定に必要な操作および設定項目が一連の流れに沿ってフローチャート方式で表示されるので、作業者は操作手順を容易に理解することができる。しかしながら、メンテナンスまたはトラブルシューティングの際には、通常の起動または停止の操作とは異なる操作を行うこともある。ＳＣＤを備えた分析システムでは、作業者がＳＣＤの動作の仕様を知らない場合には、通常の操作の流れとは異なる手順またはタイングでの操作が可能か否かを判断することができない。そのため、使用者が誤った手順またはタイミングで各部の操作を行った場合、ＳＣＤに性能低下または故障等の不具合が発生することがある。
【０００８】
本発明の目的は、不具合が生じない手順およびタイミングで硫黄化学発光検出器の各制御対象を操作することを可能にする分析システム、表示制御方法および表示制御プログラムを提供することである。
【課題を解決するための手段】
【０００９】
（１）本発明の一局面に従う分析システムは、複数の制御対象を含む硫黄化学発光検出器と、表示部と、表示部を制御する表示制御装置とを備え、表示制御装置は、複数の制御対象に対応する複数の状態画像を作動順序で並べて表示部に表示させるとともに、複数の制御対象に対応する複数の操作画像を操作可能に表示部に表示させる表示制御部と、自動起動処理の開始の操作および自動停止処理の操作を受け付ける操作受付部とを含み、表示制御部は、操作受付部により自動起動処理の開始が受け付けられると、複数の制御対象の作動順序を示す第１の方向画像を表示部に表示させ、硫黄化学発光検出器からの指令に基づいて、作動状態になった制御対象に対応する状態画像を順次第１の態様に変化させ、複数の操作画像の各々を操作可能な第１の状態または操作不可能な第２の状態に変化させ、操作受付部により自動停止処理の開始が受け付けられると、複数の制御対象の停止順序を示す第２の方向画像を第１の方向画像とは逆向きに表示部に表示させ、硫黄化学発光検出器からの指令に基づいて、停止状態になった制御対象に対応する状態画像を順次第２の態様に変化させ、複数の操作画像の各々を第１の状態または第２の状態に変化させる。
【００１０】
その分析システムにおいては、複数の制御対象に対応する複数の状態画像が表示部に表示される。また、複数の制御対象に対応する複数の操作画像が操作可能に表示部に表示される。
【００１１】
この場合、自動起動処理において、使用者は、複数の状態画像の並びおよび第１の方向画像により複数の制御対象の作動順序を視覚的に容易に把握することができる。同様に、自動停止処理において、使用者は、複数の状態画像の並びおよび第２の方向画像により複数の制御対象の停止順序を視覚的に容易に把握することができる。また、使用者は、各状態画像が第１の態様または第２の態様のいずれで表示されているかに基づいて各制御対象の作動状態または停止状態を容易に把握することができる。さらに、使用者は、各操作画像が第１の状態または第２の状態のいずれであるかに基づいて当該操作画像を操作可能であるか否かを視覚的に容易に把握することができる。
【００１２】
したがって、使用者は、不具合が生じない手順およびタイミングで硫黄化学発光検出器の各制御対象を操作することが可能である。
【００１３】
（２）操作受付部は、自動起動処理の中断の操作および各操作画像への操作を受け付けるように構成され、複数の操作画像のうち第１の状態にある操作画像への操作を受け付けるように構成され、表示制御部は、自動起動処理の中断の操作が受け付けられると、複数の状態画像の表示態様および複数の操作画像の表示状態を保持した後、硫黄化学発光検出器からの指令に基づいて、第１の状態にある操作画像のうち操作された操作画像の表示状態を変化させるとともに関連する状態画像の表示態様を変化させてもよい。
【００１４】
この場合、使用者は、自動起動処理を中断させることができる。また、使用者は、中断中に、第１の状態にある操作画像を操作することにより、対応する制御対象を操作画像を通して操作することができる。また、操作された操作画像の表示状態および関連する状態画像の表示態様が変化する。それにより、硫黄化学発光検出器の動作を熟知していない作業者が不具合を生じさせることなく、各制御対象のメンテナンスまたはトラブルシューティングを容易に行うことができる。
【００１５】
（３）操作受付部は、自動停止処理の中断の操作および各操作画像への操作を受け付けるように構成され、複数の操作画像のうち第１の状態にある操作画像への操作を受け付けるように構成され、表示制御部は、自動停止処理の中断の操作が受け付けられると、複数の状態画像の表示態様および複数の操作画像の表示状態を保持した後、硫黄化学発光検出器からの指令に基づいて、第１の状態にある操作画像の操作のうち操作された操作画像の表示状態を変化させるとともに関連する状態画像の表示態様を変化させてもよい。
【００１６】
この場合、使用者は、自動停止処理を中断させることができる。また、使用者は、中断中に、第１の状態にある操作画像を操作することにより、対応する制御対象を操作画像を通して操作することができる。また、操作された操作画像の表示状態および関連する状態画像の表示態様が変化する。それにより、硫黄化学発光検出器の動作を熟知していない作業者が不具合を生じさせることなく、各制御対象のメンテナンスまたはトラブルシューティングを容易に行うことができる。
【００１７】
（４）表示制御部は、第１の状態にある操作画像が操作された場合に、当該操作画像が操作されたことを示す操作信号を硫黄化学発光検出器に送信し、第２の状態にある操作画像が操作された場合に操作信号を硫黄化学発光検出器に送信しないでもよい。
【００１８】
この場合、使用者が操作不可能な第２の状態にある操作画像を操作した場合に、硫黄化学発光検出器の対応する制御対象が作動または停止することが防止される。
【００１９】
（５）表示制御部は、自動起動処理の完了後に第１の方向画像を消去し、自動停止処理の完了後に第２の方向画像を消去してもよい。
【００２０】
この場合、使用者は、自動起動処理または自動停止処理が完了したことを視覚的に容易に把握することができる。
【００２１】
（６）硫黄化学発光検出器は、複数の状態画像の各々を対応する制御対象の状態に基づいて第１の態様または第２の態様で表示させる指令を表示制御部に送信し、複数の制御対象の状態および予め定められた動作条件に基づいて複数の操作画像の各々を第１の状態または第２の状態に変化させる指令を表示制御部に送信する検出制御部を含んでもよい。
【００２２】
この場合、複数の制御対象の状態に基づいて対応する状態画像の表示態様が切り替えられる。複数の制御対象の状態および予め定められた動作条件に基づいて各操作画像の表示状態が切り替えられる。
【００２３】
（７）本発明の他の局面に従う表示制御方法は、複数の制御対象を含む硫黄化学発光検出器の操作のために表示部を制御する表示制御方法であって、複数の制御対象に対応する複数の状態画像を作動順序で並べて表示部に表示させるとともに、複数の制御対象に対応する複数の操作画像を操作可能に表示部に表示させるステップと、自動起動処理の開始の操作または自動停止処理の操作または各操作画像への操作を受け付けるステップと、自動起動処理の開始が受け付けられると、複数の制御対象の作動順序を示す第１の方向画像を表示部に表示させ、硫黄化学発光検出器からの指令に基づいて、作動状態になった制御対象に対応する状態画像を順次第１の態様に変化させ、複数の操作画像の各々を操作可能な第１の状態または操作不可能な第２の状態に変化させるステップと、自動停止処理の開始が受け付けられると、複数の制御対象の停止順序を示す第２の方向画像を第１の方向画像とは逆向きに表示部に表示させ、硫黄化学発光検出器からの指令に基づいて、停止状態になった制御対象に対応する状態画像を順次第２の態様に変化させ、複数の操作画像の各々を第１の状態または第２の状態に変化させるステップとを含む。
【００２４】
その表示制御方法によれば、使用者は、不具合が生じない手順およびタイミングで分析装置の各制御対象を操作することが可能である。
【００２５】
（８）本発明のさらに他の局面に従う表示制御プログラムは、複数の制御対象を含む硫黄化学発光検出器の操作のために表示部を制御する表示制御プログラムであって、複数の制御対象に対応する複数の状態画像を作動順序で並べて表示部に表示させるとともに、複数の制御対象に対応する複数の操作画像を操作可能に表示部に表示させるステップと、自動起動処理の開始の操作または自動停止処理の操作を受け付けるステップと、自動起動処理の開始が受け付けられると、複数の制御対象の作動順序を示す第１の方向画像を表示部に表示させ、硫黄化学発光検出器からの指令に基づいて、作動状態になった制御対象に対応する状態画像を順次第１の態様に変化させ、複数の操作画像の各々を操作可能な第１の状態または操作不可能な第２の状態に変化させるステップと、自動停止処理の開始が受け付けられると、複数の制御対象の停止順序を示す第２の方向画像を第１の方向画像とは逆向きに表示部に表示させ、硫黄化学発光検出器からの指令に基づいて、停止状態になった制御対象に対応する状態画像を順次第２の態様に変化させ、複数の操作画像の各々を第１の状態または第２の状態に変化させるステップとを、コンピュータに実行させるものである。
【００２６】
その表示制御プログラムによれば、使用者は、不具合が生じない手順およびタイミングで硫黄化学発光検出器の各制御対象を操作することが可能である。
【発明の効果】
【００２７】
本発明によれば、不具合が生じない手順およびタイミングで硫黄化学発光検出器の各制御対象を操作することが可能になる。
【図面の簡単な説明】
【００２８】
【図１】本発明の一実施の形態に係る分析システムの構成を示すブロック図である。
【図２】操作準備中の操作画面の例を示す図である。
【図３】自動起動処理中の操作画面の例を示す図である。
【図４】起動完了時の操作画面の例を示す図である。
【図５】自動停止処理中の操作画面の例を示す図である。
【図６】ＳＣＤの起動条件を示す模式図である。
【図７】ＳＣＤの停止条件を示す模式図である。
【図８】図１の表示制御装置の機能的な構成を示すブロック図である。
【図９】自動起動処理を示すフローチャートである。
【図１０】自動停止処理を示すフローチャートである。
【図１１】中断処理を示すフローチャートである。
【発明を実施するための形態】
【００２９】
以下、本発明の実施の形態に係る硫黄化学発光検出器を備えた分析システム、表示制御方法および表示制御プログラムについて図面を参照しながら詳細に説明する。
【００３０】
（１）分析システムの構成
図１は、本発明の一実施の形態に係る分析システムの構成を示すブロック図である。図１に示すように、分析システム１００は、ガスクロマトグラフ１、硫黄化学発光検出器（Ｓｕｌｆｕｒ  Ｃｈｅｍｉｌｕｍｉｎｅｓｃｅｎｃｅ  Ｄｅｔｅｃｔｏｒ：以下、ＳＣＤと呼ぶ。）２および表示制御装置３を含む。本実施の形態では、ガスクロマトグラフ１およびＳＣＤ２が分析装置１０を構成する。図１においては、分析システム１００のハードウエアの構成が示される。
【００３１】
ガスクロマトグラフ１は、気化室１１、カラム１２およびガスクロマトグラフ制御部（以下、ＧＣ制御部と呼ぶ。）１３を含む。ＳＣＤ２は、電気炉２１、反応セル２２、フィルタ２３、光検出器２４、オゾン発生器２５、スクラバ２６、真空ポンプ２７および検出制御部２８を含む。
【００３２】
硫黄化合物を含む試料は、ガスクロマトグラフ１の気化室１１において気化され、カラム１２において気体の試料が複数の成分に分離される。試料の分離された成分は、ＳＣＤ２の電気炉２１に導入される。電気炉２１には、それぞれ流量制御装置Ｆ１，Ｆ２，Ｆ３を通してＮ２（窒素）、Ｏ２（酸素）およびＨ２（水素）が供給される。オゾン発生器２５には、流量制御装置Ｆ４を通してＯ２（酸素）が供給される。流量制御装置Ｆ１〜Ｆ４は、バルブおよび流量センサ等を含む。また、電気炉２１は温度センサを含む。
【００３３】
電気炉２１は、導入された試料を燃焼または酸化により分解した後、還元する。それにより、試料に含まれる硫黄化合物から一酸化硫黄が生成される。反応セル２２は、スクラバ２６を通して真空ポンプ２７に接続されている。真空ポンプ２７の吸引により電気炉２１における生成物が反応セル２２に導入される。オゾン発生器２５は、供給されたＯ２からＯ３（オゾン）を発生する。
【００３４】
反応セル２２は、電気炉２１により生成された一酸化硫黄とオゾン発生器２５により生成されたＯ３との反応により励起状態の二酸化硫黄を生成し、二酸化硫黄の化学発光を生じさせる。光検出器２４は、例えば光電子増倍管である。二酸化硫黄の発光は、フィルタ２３を通して光検出器２４により検出される。光検出器２４の検出信号に基づいて試料中の硫黄の含有量を定量することができる。
【００３５】
表示制御装置３は、入出力Ｉ／Ｆ（インタフェース）３１、ＣＰＵ（中央演算処理装置）３２、ＲＡＭ（ランダムアクセスメモリ）、ＲＯＭ（リードオンリメモリ）３４、および記憶装置３５により構成され、例えばパーソナルコンピュータまたはサーバである。入出力Ｉ／Ｆ３１、ＣＰＵ３２、ＲＡＭ３３、ＲＯＭ３４および記憶装置３５はバス３８に接続されている。表示制御装置３のバス３８には、操作部３６および表示部３７が接続される。操作部３６は、キーボードおよびポインティングデバイス等を含み、各種情報またはデータ等の入力および各種操作のために用いられる。表示部３７は、液晶ディスプレイまたは有機エレクトロルミネッセンスディスプレイ等を含み、種々の情報および画像を表示する。操作部３６および表示部３７は、タッチパネルディスプレイにより構成されてもよい。
【００３６】
記憶装置３５は、ハードディスク、光学ディスク、磁気ディスク、半導体メモリまたはメモリカード等の記憶媒体を含み、表示制御プログラムを記憶する。ＲＡＭ３３は、ＣＰＵ３２の作業領域として用いられる。ＲＯＭ３４にはシステムプログラムが記憶される。ＣＰＵ３２が記憶装置３５に記憶された表示制御プログラムをＲＡＭ３３上で実行することにより、後述する表示制御処理が行われる。
【００３７】
表示制御装置３のＣＰＵ３２から入出力Ｉ／Ｆ３１およびＧＣ制御部１３を通して検出制御部２８に後述するオン操作信号およびオフ操作信号が与えられる。ＧＣ制御部１３は、ガスクロマトグラフ１の各部分の動作を制御する。検出制御部２８は、ＳＣＤ２の複数の構成部分を制御するとともに、後述する各種表示指令をＧＣ制御部１３および入出力Ｉ／Ｆ３１を通してＣＰＵ３２に送信する。
【００３８】
以下、ガスクロマトグラフ１およびＳＣＤ２の複数の構成部分を複数の制御対象と呼ぶ。本実施の形態では、複数の制御対象は、例えば、ＳＣＤ２の電気炉２１、光検出器２４、オゾン発生器２５、真空ポンプ２７、複数の流量調整部Ｆ１〜Ｆ４およびメインスイッチである。ＳＣＤ２は、後述する自動起動処理および自動停止処理を行う機能を有する。
【００３９】
（２）表示制御装置３の操作画面
表示制御装置３に接続される表示部３７には、操作画面が表示される。ここで、表示部３７に表示される操作画面について説明する。図２は、操作準備中の操作画面の例を示す図である。図３は、自動起動処理中の操作画面の例を示す図である。図４は、起動完了時の操作画面の例を示す図である。図５は、自動停止処理中の操作画面の例を示す図である。
【００４０】
図２に示すように、操作画面５０の上部には、自動起動処理を開始させる自動起動ボタン５１、自動起動処理を中断させる自動起動中断ボタン５２、自動停止処理を開始させる自動停止ボタン５３、および自動停止処理を中断させる自動停止中断ボタン５４が表示される。また、操作画面５０には、切替ボタン５５が表示される。
【００４１】
操作画面５０の中央部には、複数の制御対象に対応する複数の状態画像６１〜６８が表示される。状態画像６１〜６８には、それぞれ“光検出器”、“真空ポンプ”、“Ｎ２”、“Ｏ３”、“Ｏ２”、“電気炉”、“オゾン発生器”および“Ｈ２”の文字が表示される。
【００４２】
状態画像６１は、光検出器２４のオンオフの状態を示し、状態画像６２は、真空ポンプ２７のオンオフの状態を示す。状態画像６２は、電気炉２１へのＮ２の供給状態（流量制御装置Ｆ１のオンオフの状態）を示し、状態画像６３は、オゾン発生器２５へのＯ２の供給および供給停止の状態（流量制御装置Ｆ４のオンオフの状態）を示す。ここで、“Ｏ３”はオゾン発生器２５へのＯ２（酸素）の供給および供給停止状態を意味する。状態画像６５は、電気炉２１へのＯ２の供給および供給停止の状態（流量制御装置Ｆ２のオンオフの状態）を示す。状態画像６６は、電気炉２１のオンオフの状態を示し、状態画像６７は、オゾン発生器２５のオンオフの状態を示す。状態画像６８は、電気炉２１へのＨ２の供給および供給停止の状態（流量制御装置Ｆ３のオンオフの状態）を示す。
【００４３】
状態画像６１〜６８は、対応する制御対象がオンしている場合に第１の態様で表示され、対応する制御対象がオフしている場合に第２の態様で表示される。本実施の形態では、第１の態様は第１の色（例えば青色）であり、第２の態様は第２の色（例えば白色または灰色）である。
【００４４】
状態画像６１〜６８内には、それぞれ操作画像７１〜７８が表示される。操作画像７１〜７８の各々は、オンスイッチ７０ａおよびオフスイッチ７０ｂを含む。操作画像７１〜７８は、それぞれ対応する制御対象を制御するために操作部３６により操作される。オンスイッチ７０ａが操作されると、ＳＣＤ２の検出制御部２８の制御により、対応する制御対象が作動（オン）し、オフスイッチ７０ｂが操作されると、ＳＣＤ２の検出制御部２８の制御により、対応する制御対象が停止（オフ）する。
【００４５】
切替ボタン５５が操作されると、ＳＣＤメインスイッチ９０が表示される。オンボタン９１が操作されると、ＳＣＤメインスイッチ９０がオンされる。オフボタン９２が操作されると、ＳＣＤメインスイッチ９０がオフされる。複数の状態画像６１〜６８の上方には、現在の状態（ステータス）が表示される。終了ボタン９３が操作されると、操作画面５０が他の画面に切り替わる。
【００４６】
図３に示すように、使用者が図１の操作部３６により自動起動ボタン５１を操作すると、自動起動処理が開始される。この場合、自動起動ボタン５１の表示態様が変化する。本実施の形態では、自動起動ボタン５１の色が例えば青色になる。図３では、表示態様の変化がハッチングで示される。
【００４７】
自動起動処理では、光検出器２４のオン、真空ポンプ２７のオン、電気炉２１へのＮ２の供給（以下、“Ｎ２”のオンと呼ぶ。）、オゾン発生器２５へのＯ２の供給（以下、“Ｏ３”のオンと呼ぶ。）、電気炉２１へのＯ２の供給（以下、“Ｏ２”のオンと呼ぶ。）、電気炉２１のオン、オゾン発生器２５のオン、および電気炉２１へのＨ２の供給（以下、“Ｈ２”のオンと呼ぶ。）がこの順序で実行される。
【００４８】
複数の状態画像６１〜６８は、対応する制御対象がオンする順序で左から右へ並んでいる。状態画像６１〜６８の表示態様は、対応する制御対象がオンするとともに変化する。本実施の形態では、複数の状態画像６１〜６８のうちオンしている制御対象に対応する状態画像の色（背景色）が第１の色（例えば青色）になる。オンしていない制御対象に対応する状態画像の色（背景色）は第２の色（例えば灰色）に維持される。図３では、オンしている光検出器２４に対応する状態画像６１およびオンしている真空ポンプ２７の状態画像６２がドットパターンで示される。
【００４９】
また、複数の状態画像６１〜６８間に自動起動処理における複数の制御対象がオンする順序を示す第１の方向画像が表示される。本実施の形態では、第１の方向画像として複数の状態画像６１〜６８間に右向きの矢印ａが表示される。
【００５０】
さらに、操作可能な操作画像は第１の状態になり、操作不可能な操作画像は第２の状態になる。本実施の形態では、第１の状態は色の第１の濃度（例えば濃い色）であり、第２の状態は色の第２の濃度（例えば薄い色）である。図３の例では、光検出器２４に対応する操作画像７１が濃い色で表示され、他の操作画像７２〜７８が薄い色で表示される。それにより、光検出器２４に対応する操作画像７１はオンオフの操作が可能であり、他の制御対象に対応する操作画像７２〜７８はオンオフの操作が不可能である。複数の操作画像７１〜７８の操作が可能である否かは、後述する起動条件に基づいて変化する。
【００５１】
なお、オン状態の制御対象に対応する操作画像においては、オンスイッチ７０ａが第１の形状（本例では大きな丸印）で表され、オフスイッチ７０ｂが第２の形状（本例では縦棒）で表されている。現在の状態としては、自動起動処理における真空ポンプ２７のオンを意味する「自動起動−ポンプオン」が表示されている。
【００５２】
自動起動処理中に使用者が操作部３６により自動起動中断ボタン５２を操作すると、自動起動処理が中断される。この場合、自動起動ボタン５１の表示態様が自動起動処理開始以前の表示態様に戻る。
【００５３】
この場合、複数の制御対象のオンオフの状態が一旦保持される。この状態で、使用者は、操作可能な操作画像を操作することにより対応する制御対象をオンオフすることができる。図３の状態で、自動起動中断ボタン５２が操作された場合には、使用者は、操作画像７１を操作することにより光検出器２４のオンオフを切り替えることができる。一方、使用者は、他の操作画像７２〜７８を操作することはできない。
【００５４】
使用者は、自動起動ボタン５１を再度操作することにより自動起動処理を再開することができる。この場合、後述する起動条件が満足されるように制御対象の動作（オンオフ）が順に制御される。同時に、複数の状態画像６１〜６８の表示態様および複数の操作画像７１〜７８の状態が変化する。
【００５５】
自動起動処理に必要な全ての制御対象がオンされると、自動起動処理が完了する。それにより、図４に示すように、複数の状態画像６１〜６８が第１の態様になる。本実施の形態では、複数の状態画像６１〜６８が第１の色になる。また、複数の操作画像７１〜７８のうち操作可能な操作画像が第１の状態となる。さらに、右向きの矢印ａが消去される。図４の例では、操作画像７１，７６，７７，７８が濃い色に変化する。この場合、光検出器２４のオンオフ、電気炉２１のオンオフ、オゾン発生器２５のオンオフならびにＨ２の供給および供給停止の切り替えが可能である。
【００５６】
図５に示すように、使用者が図１の操作部３６により自動停止ボタン５３を操作すると、自動停止処理が開始される。この場合、自動停止ボタン５３の表示態様が変化する。本実施の形態では、自動停止ボタン５３の色が例えば青色になる。図５では、表示態様の変化がハッチングで示される。
【００５７】
自動停止処理では、電気炉２１へのＨ２の供給停止（以下、“Ｈ２”のオフと呼ぶ。）、オゾン発生器２５のオフ、電気炉２１のオフ、電気炉２１へのＯ２の供給停止（以下、“Ｏ２”のオフと呼ぶ。）、オゾン発生器２５へのＯ２の供給停止（以下、“Ｏ３”のオフと呼ぶ。）、電気炉２１へのＮ２の供給停止（以下、“Ｎ２”のオフと呼ぶ。）、真空ポンプ２７のオフ、および光検出器２４のオフがこの順序で実行される。
【００５８】
複数の状態画像６８〜６１は、対応する制御対象がオフする順序で右から左に並んでいる。状態画像６８〜６１の表示態様は、対応する制御対象がオフするとともに変化する。本実施の形態では、複数の状態画像６８〜６１のうちオフしている制御対象に対応する状態画像の色（背景色）が第２の色（例えば灰色）になる。オフしていない制御対象に対応する状態画像の色（背景色）は第１の色（例えば青色）に維持される。図５では、オフしている“Ｈ２”に対応する状態画像６８、オフしているオゾン発生器２５に対応する状態画像６７、およびオフしている電気炉２１に対応する状態画像６６が灰色で示される。
【００５９】
また、複数の状態画像６８〜６１間に自動停止処理における複数の制御対象がオフする順序を示す第２の方向画像が表示される。本実施の形態では、第２の方向画像として複数の状態画像６８〜６１間に左向きの矢印ｂが表示される。
【００６０】
さらに、操作可能な操作画像は第１の状態になり、操作不可能な操作画像は第２の状態になる。図５の例では、光検出器２４に対応する操作画像７１が濃い色で表示され、他の操作画像７２〜７８が薄い色で表示される。それにより、光検出器２４に対応する操作画像７１はオンオフの操作が可能であり、他の制御対象に対応する操作画像７２〜７８はオンオフの操作が不可能である。複数の操作画像７１〜７８の操作が可能である否かは、後述する停止条件に基づいて変化する。現在の状態としては、自動停止処理における電気炉２１のオフを意味する「自動停止−電気炉オフ」が表示されている。
【００６１】
自動停止処理中に使用者が操作部３６により自動停止中断ボタン５４を操作すると、自動停止処理が中断される。この場合、自動停止ボタン５３の表示態様が自動停止処理開始以前の表示態様に戻る。
【００６２】
この場合、複数の制御対象のオンオフの状態が一旦保持される。この状態で、使用者は、操作可能な操作画像を操作することにより対応する制御対象をオンオフすることができる。図５の状態で、自動停止中断ボタン５４が操作された場合には、使用者は、操作画像７１を操作することにより光検出器２４のオンオフを切り替えることができる。一方、使用者は、他の操作画像７２〜７８を操作することはできない。
【００６３】
使用者は、自動停止ボタン５３を再度操作することにより自動停止処理を再開することができる。この場合、後述する停止条件が満足されるように制御対象の動作（オンオフ）が順に制御される。同時に、複数の状態画像６８〜６１の表示態様および複数の操作画像７８〜７１の状態が変化する。
【００６４】
自動停止処理に必要な全ての制御対象がオフされると、自動停止処理が完了する。それにより、図２に示す操作画面５０の状態に戻る。また、左向きの矢印ｂが消去される。
【００６５】
（３）動作条件
図１のＳＣＤ２の検出制御部２８には、予めＳＣＤ２の動作条件が記憶される。動作条件は、ＳＣＤ２の起動処理における起動条件および停止処理における停止条件を含む。図６はＳＣＤ２の起動条件を示す模式図である。図７はＳＣＤ２の停止条件を示す模式図である。
【００６６】
図６の起動条件は、複数の制御対象の制御が下から上へ順に行われる必要があることを示している。例えば、“Ｈ２”をオンにするための条件は、電気炉２１の温度が７５０℃以上であることである。電気炉２１の温度が７５０℃以上にするための条件は、電気炉２１がオンしていることである。電気炉２１をオンするための条件は、“Ｎ２”がオンしていることである。“Ｎ２”をオンするための条件は、真空ポンプ２７がオンしていることである。真空ポンプ２７をオンするための条件は、ＳＣＤメインスイッチ９０がオンしていることである。ＳＣＤメインスイッチ９０をオンするための条件は、ガスクロマトグラフ１が起動していることである。
【００６７】
オゾン発生器２５をオンするための条件は、オゾン発生器２５におけるＯ２の流量が１５ｍＬ／ｍｉｎ以上であることである。オゾン発生器２５におけるＯ２の流量を１５ｍＬ／ｍｉｎ以上にするための条件は、“Ｏ３”がオンしていること（オゾン発生器２５へＯ２が供給されていること）である。“Ｏ３”をオンするための条件（オゾン発生器２５へＯ２を供給するための条件）は、真空ポンプ２７がオンしていることである。真空ポンプ２７をオンするための条件は、ＳＣＤメインスイッチ９０がオンしていることである。ＳＣＤメインスイッチ９０をオンするための条件は、ガスクロマトグラフ１が起動していることである。
【００６８】
“Ｏ２”をオンするための条件は、Ｎ２”がオンしていることである。“Ｎ２”をオンするための条件は、真空ポンプ２７がオンしていることである。真空ポンプ２７をオンするための条件は、ＳＣＤメインスイッチ９０がオンしていることである。ＳＣＤメインスイッチ９０をオンするための条件は、ガスクロマトグラフ１が起動していることである。
【００６９】
光検出器２４は、他の条件とは独立に任意のタイミングでオンすることが可能である。ＳＣＤ２が利用可能な状態となるための条件は、“Ｏ２”がオンし、“Ｈ２”がオンし、オゾン発生器２５がオンし、および光検出器２４がオンしていることである。なお、“Ｏ２”、電気炉２１および“Ｏ３”がオンしたタイミングでエージング（慣らし運転）が可能である。
【００７０】
上記の起動条件に基づいて、検出制御部２８により、自動起動処理中および自動起動中断中の各操作画像７１〜７８の状態が決定される。
【００７１】
図７の停止条件は、複数の制御対象の制御が下から上へ順に行われる必要があることを示している。例えば、ＳＣＤメインスイッチ９０をオフするための条件は、真空ポンプ２７がオフしていることである。真空ポンプ２７をオフするための条件は、“Ｏ２”、“Ｏ３”および“Ｎ２”がオフしていることである。“Ｏ２”をオフするための条件は、“Ｈ２”がオフしていることである。“Ｏ３”をオフするための条件は、オゾン発生器２５がオフしていることである。“Ｎ２”をオフするための条件は、電気炉２１の温度が５０℃以下であることである。電気炉２１の温度を５０℃以下にするための条件は、電気炉２１をオフしていることである。
【００７２】
光検出器２４は、他の条件とは独立に任意のタイミングでのオフすることが可能である。ガスクロマトグラフ１を停止させるための条件は、ＳＣＤメインスイッチ９０がオフしていることである。
【００７３】
上記の停止条件に基づいて、検出制御部２８により、自動停止処理中および自動停止中断中の各操作画像７１〜７８の状態が決定される。
【００７４】
（４）表示制御装置３の機能的な構成
図８は図１の表示制御装置３の機能的な構成を示すブロック図である。図８に示すように、表示制御装置３は、操作受付部３０１、操作判定部３０２および表示制御部３０３を含む。上記の構成要素（３０１〜３０７）の機能は、図１のＣＰＵ３２が記憶装置３５等の記憶媒体（記録媒体）に記憶されたコンピュータプログラムである表示制御プログラムを実行することにより実現される。なお、表示制御装置３の一部または全ての構成要素が電子回路等のハードウエアにより実現されてもよい。
【００７５】
操作受付部３０１は、操作部３６による操作を受け付ける。この場合、使用者は、表示部３７に表示された操作画面５０の各部を操作部３６により操作することができる。例えば、操作部３６がマウスである場合、使用者は操作画面５０上でのカーソルの移動およびクリックにより所望の操作を行うことができる。また、操作部３６および表示部３７がタッチパネルディスプレイである場合、使用者は操作画面５０の所望の部分へのタッチにより所望の操作を行うことができる。
【００７６】
操作判定部３０２は、操作受付部３０１により受け付けられた操作を判定する。例えば、操作判定部３０２は、自動起動ボタン５１、自動起動中断ボタン５２、自動停止ボタン５３、自動停止中断ボタン５４、操作画像７１〜７８およびメインスイッチ９０の操作等が行われたことを判定する。
【００７７】
ＳＣＤ２の検出制御部２８は、図６の起動条件および図７の停止条件を記憶する。また、検出制御部２８は、各制御対象が起動条件または停止条件を満足するか否かを判定するとともに、各制御対象の状態（オン状態またはオフ状態）を判定する。さらに、検出制御部２８は、判定結果に基づいて、表示制御部３０３にＧＣ制御部１３を通して、作動表示指令、停止表示指令、操作可能表示指令および操作不可能表示指令を送信する。ここで、作動表示指令は、操作画面５０上の各状態画像を第１の態様で表示させるための指令である。停止表示指令は、操作画面５０上の各状態画像を第２の態様で表示させるための指令である。操作可能表示指令は、操作画面５０上の各操作画像を第１の状態で表示させるための指令である。操作不可能表示指令は、操作画面５０上の各操作画像を第２の状態で表示させるための指令である。
【００７８】
表示制御部３０３は、ＳＣＤ２の検出制御部２８から受信した指令に基づいて表示部３７に操作画面５０を表示させる。また、表示制御部３０３は、第１の状態にある操作画像が操作されたときに、オン操作信号およびオフ操作信号をＧＣ制御部１３を通して検出制御部２８に送信する。この場合、検出制御部２８は、オン操作信号またはオフ操作信号に基づいて、対応する制御対象をオンまたはオフする。
【００７９】
（５）表示制御プログラム
図９〜図１１を用いて表示制御プログラムのアルゴリズムを説明する。表示制御プログラムの実行により表示制御方法が実施される。表示制御プログラムは、自動起動処理、自動起動中断処理、自動停止処理および自動停止中断処理を含む。
【００８０】
図９は自動起動処理を示すフローチャートである。ここで、複数の制御対象の数をＮとする。また、複数の制御対象には、オン状態への切り替えの順序に従って１〜Ｎの番号が付される。まず、自動起動処理では、表示制御部３０３は、使用者による操作部３６の操作に基づいて表示部３７に操作画面５０を表示させる（ステップＳ１）。操作判定部３０２は、自動起動ボタン５１が操作されたか否かを判定する（ステップＳ２）。自動起動ボタン５１が操作されていな場合は、操作判定部３０２はステップＳ１に戻る。
【００８１】
自動起動ボタン５１が操作された場合には、表示制御部３０３は、変数ｋを１に設定する（ステップＳ３）。表示制御部３０３は、複数の状態画像６１〜６８間に右向きの矢印ａを表示させる（ステップＳ４）。ここで、検出制御部２８は、ｋ番目の制御対象をオンにすると、ｋ番目の作動表示指令を表示制御部３０３に送信する。表示制御部３０３は、検出制御部２８からｋ番目の制御対象に対応する作動表示指令を受信したか否かを判定する（ステップＳ５）。表示制御部３０３は、ｋ番目の制御対象に対応する作動表示指令を受信した場合には、ｋ番目の状態画像を第１の態様（例えば第１の色）に変化させる（ステップＳ６）。
【００８２】
検出制御部２８は、ｉ番目の制御対象が起動条件を満足しているか否かを判定する。ここで、ｉは１〜Ｎである。ｉ番目の制御対象が起動条件を満足している場合には、検出制御部２８は、ｉ番目の制御対象に対応するｉ番目の操作可能表示指令を表示制御部３０３に送信する。表示制御部３０３は、ｉ番目の操作可能表示指令を受信したか否かを判定する（ステップＳ７）。ｉ番目の操作可能表示指令を受信した場合には、表示制御部３０３は、ｉ番目の操作画像を操作可能な第１の状態（例えば濃い色）に変化させる（ステップＳ８）。ステップＳ７でｉ番目の操作可能信号を受信していない場合には、表示制御部３０３は、ステップＳ８をスキップする。この場合、ｉ番目の操作画像が操作不可能な第２の状態（例えば薄い色）に維持される。
【００８３】
操作判定部３０２は、自動起動中断ボタン５２が操作されたか否かを判定する（ステップＳ９）。自動起動中断ボタン５２が操作された場合には、操作判定部３０２は、図１１の中断処理に進む（ステップＳ４０）。自動起動中断ボタン５２が操作されていない場合には、操作判定部３０２は、変数ｋの値に１を加算し（ステップＳ１０）、変数ｋの値がＮよりも大きいか否かを判定する（ステップＳ１１）。
【００８４】
変数ｋの値がＮ以下である場合には、表示制御部３０３はステップＳ４に戻る。これにより、変数ｋがＮになるまでステップＳ４〜Ｓ１１，Ｓ４０の処理が行われる。ステップＳ１１で変数ｋの値がＮよりも大きい場合、表示制御部３０３は右向きの矢印ａを非表示にする（ステップＳ１２）。
【００８５】
これにより、自動起動処理が完了する。その結果、検出制御部２８により１番目からＮ番目までの制御対象がオンされるとともに、操作画面５０における１番目からＮ番目までの状態画像が第１の態様に変化する。
【００８６】
図１０は自動停止処理を示すフローチャートである。まず、自動停止処理では、表示制御部３０３は、使用者による操作部３６の操作に基づいて表示部３７に操作画面５０を表示させる（ステップＳ２１）。操作判定部３０２は、自動停止ボタン５３が操作されたか否かを判定する（ステップＳ２２）。自動停止ボタン５３が操作されていな場合は、操作判定部３０２はステップＳ２１に戻る。
【００８７】
自動停止ボタン５３が操作された場合には、操作判定部３０２は、変数ｋをＮに設定する（ステップＳ２３）。表示制御部３０３は、複数の状態画像６１〜６８間に左向きの矢印ｂを表示させる（ステップＳ２４）。ここで、検出制御部２８は、ｋ番目の制御対象をオフにすると、ｋ番目の停止表示指令を表示制御部３０３に送信する。表示制御部３０３は、検出制御部２８からｋ番目の制御対象に対応する停止表示指令を受信したか否かを判定する（ステップＳ２５）。表示制御部３０３は、ｋ番目の制御対象に対応する停止表示指令を受信した場合には、ｋ番目の状態画像を第２の態様（例えば第２の色）に変化させる（ステップＳ２６）。
【００８８】
検出制御部２８は、ｉ番目の制御対象が停止条件を満足しているか否かを判定する。ここで、ｉは１〜Ｎである。ｉ番目の制御対象が停止条件を満足している場合には、検出制御部２８は、ｉ番目の制御対象に対応するｉ番目の操作可能表示指令を表示制御部３０３に送信する。表示制御部３０３は、ｉ番目の操作可能表示指令を受信したか否かを判定する（ステップＳ２７）。ｉ番目の操作可能表示指令を受信した場合には、表示制御部３０３は、ｉ番目の操作画像を操作可能な第１の状態（例えば濃い色）に変化させる（ステップＳ２８）。ステップＳ２７でｉ番目の操作可能信号を受信していない場合には、表示制御部３０３は、ステップＳ２８をスキップする。この場合、ｉ番目の操作画像が操作不可能な第２の状態（例えば薄い色）に維持される。
【００８９】
操作判定部３０２は、自動停止中断ボタン５４が操作されたか否かを判定する（ステップＳ２９）。自動停止中断ボタン５４が操作された場合には、操作判定部３０２は、図１１の中断処理に進む（ステップＳ４０）。自動停止中断ボタン５４が操作されていない場合には、操作判定部３０２は、変数ｋの値から１を減算し（ステップＳ３０）、変数ｋの値が１よりも小さいか否かを判定する（ステップＳ３１）。
【００９０】
変数ｋの値が１以上である場合には、表示制御部３０３はステップＳ２４に戻る。これにより、変数ｋが１になるまでステップＳ２４〜Ｓ３１，Ｓ４０の処理が行われる。ステップＳ３１で変数ｋの値が１よりも小さい場合、表示制御部３０３は左向きの矢印ｂを非表示にする（ステップＳ３２）。
【００９１】
これにより、自動停止処理が完了する。その結果、Ｎ番目から１番目までの制御対象がオフされるとともに、Ｎ番目から１番目までの状態画像が第２の態様に変化する。
【００９２】
図１１は中断処理を示すフローチャートである。図１１の中断処理は、自動起動処理における中断処理または自動停止処理における中断処理である。中断処理においては、ＳＣＤ２の検出制御部２８が複数の制御対象のオンオフ状態を一旦保持する。
【００９３】
中断処理では、表示制御部３０３は操作画面５０の右向きの矢印ａおよび左向きの矢印ｂを非表示にする（ステップＳ４１）。操作判定部３０２は、任意のｍ番目の操作画像のオン操作が行われたか否かを判定する（ステップＳ４２）。ｍ番目の操作画像のオン操作が行われた場合には、表示制御部３０３は、ｍ番目の操作画像が操作可能な第１の状態（例えば濃い色）であるか否かを判定する（ステップＳ４３）。ｍ番目の操作画像が第１の状態である場合には、表示制御部３０３は、ｍ番目の制御対象に対応するｍ番目のオン操作信号を検出制御部２８に送信する（ステップＳ４４）。検出制御部２８は、ｍ番目のオン操作信号に基づいてｍ番目の制御対象をオンし、ｍ番目の制御対象に対応するｍ番目の作動表示指令を検出制御部２８に送信する。表示制御部３０３は、検出制御部２８からｍ番目の作動表示指令を受信したか否かを判定する（ステップＳ４５）。ｍ番目の作動表示指令を受信した場合には、表示制御部３０３は、ｍ番目の状態画像を第１の態様（例えば第１の色）に変化させる（ステップＳ４６）。
【００９４】
ステップＳ４２でｍ番目の操作画像のオン操作が行われていない場合、ステップＳ４３でｍ番目の操作画像が第２の態様（例えば薄い色）である場合、またはステップＳ４５でｍ番目の作動表示指令が受信されていない場合には、操作判定部３０２はステップＳ４７に進む。
【００９５】
ステップＳ４７では、操作判定部３０２は、任意のｍ番目の操作画像のオフ操作が行われたか否かを判定する。ｍ番目の操作画像のオフ操作が行われた場合には、表示制御部３０３は、ｍ番目の操作画像が操作可能な第１の状態（例えば濃い色）であるか否かを判定する（ステップＳ４８）。ｍ番目の操作画像が第１の状態である場合には、表示制御部３０３は、ｍ番目の制御対象に対応するｍ番目のオフ操作信号を検出制御部２８に送信する（ステップＳ４９）。検出制御部２８は、ｍ番目のオフ操作信号に基づいてｍ番目の制御対象をオフし、ｍ番目の制御対象に対応するｍ番目の停止表示指令を検出制御部２８に送信する。表示制御部３０３は、検出制御部２８からｍ番目の停止表示指令を受信したか否かを判定する（ステップＳ５０）。ｍ番目の停止表示指令を受信した場合には、表示制御部３０３は、ｍ番目の状態画像を第２の態様（例えば第２の色）に変化させる（ステップＳ５１）。
【００９６】
ステップＳ４７でｍ番目の操作画像のオフ操作が行われていない場合、ステップＳ４８でｍ番目の操作画像が第２の態様（例えば薄い色）である場合、またはステップＳ５０でｍ番目の停止表示指令が受信されていない場合には、操作判定部３０２はステップＳ５２に進む。
【００９７】
ステップＳ５２では、操作判定部３０２は、自動起動処理の中断処理において自動起動中断ボタン５２が解除されたか否かを判定する。自動起動処理の中断処理において自動起動中断ボタン５２が解除された場合には、操作判定部３０２は、図９のステップＳ４に進む。それにより、自動起動処理が再開される。
【００９８】
ステップＳ５３では、操作判定部３０２は、自動停止処理の中断処理において自動停止中断ボタン５４が解除されたか否かを判定する。自動停止処理の中断処理において自動停止中断ボタン５４が解除された場合には、操作判定部３０２は、図１０のステップＳ２４に進む。それにより、自動停止処理が再開される。ステップＳ５２で自動起動中断ボタン５２が解除されていない場合またはステップＳ５３で自動停止中断ボタン５４が解除されていない場合には、操作判定部３０２は、ステップＳ４２に戻る。
【００９９】
（６）実施の形態の効果
本実施の形態に係る表示制御装置３によれば、使用者は、操作画面５０上で自動起動ボタン５１、自動起動中断ボタン５２、自動停止ボタン５３および自動停止中断ボタン５４の操作により自動起動処理、自動起動中断処理、自動停止処理および自動停止中断処理を容易に実行させることができる。自動起動処理において、使用者は、状態画像６１〜６２の並びおよび右向きの矢印ａの表示により制御対象の作動順序を視覚的に容易に把握することができる。同様に、自動停止処理において、使用者は、状態画像６１〜６２の並びおよび左向きの矢印ｂの表示により制御対象の停止順序を視覚的に容易に把握することができる。
【０１００】
自動起動処理の完了後および自動停止処理の完了後には右向きの矢印ａおよび左向きの矢印ｂが表示されないので、使用者は、自動起動処理または自動停止処理が完了したことを容易に把握することができる。
【０１０１】
また、使用者は、状態画像６１〜６８の表示態様に基づいて、各制御対象の作動状態および停止状態を視覚的に容易に把握することができる。さらに、使用者は、操作画像７１〜７８の表示状態に基づいて、各制御対象が操作可能であるか操作不可能であるかを視覚的に容易に把握することができる。
【０１０２】
この場合、操作画像７１〜７８のうち第２の状態にある操作画像７１〜７８を操作することができないので、使用者が分析装置１０の性能低下または故障等の不具合が生じる順序またはタイミングで各制御対象をオンオフすることが防止される。
【０１０３】
したがって、ＳＣＤ２の動作を熟知しない使用者でも、分析装置１０に不具合を生じさせることなく、各制御対象のメンテナンスまたはトラブルシューティングを容易に行うことができる。
【０１０４】
（７）他の実施の形態
上記実施の形態では、状態画像６１〜６８の第１および第２の態様が異なる色であるが、第１および第２の態様はこれに限定されない。例えば、第１および第２の態様が連続的な点灯および点滅がであってもよく、第１および第２の態様が異なる輝度（明るさ）であってもよく、第１および第２の態様が異なる形状であってもよい。あるいは、第１および第２の態様が異なる文字の有無または異なる文字の表示であってもよい。
【０１０５】
上記実施の形態では、操作画像７１〜７８の第１および第２の状態が色の異なる濃度であるが、第１および第２の状態はこれに限定されない。例えば、第１および第２の状態が異なる色であってもよく、第１および第２の状態が連続的な点灯および点滅がであってもよく、第１および第２の状態が異なる輝度（明るさ）であってもよく、第１および第２の態様が異なる形状であってもよい。あるいは、第１および第２の状態が異なる文字の有無または異なる文字の表示であってもよい。
【０１０６】
上記実施の形態では、自動起動中断処理中および自動停止中断処理中に右向きの矢印ａおよび左向きの矢印ｂが非表示になるが、自動起動中断処理中および自動停止中断処理中にそれぞれ右向きの矢印ａおよび左向きの矢印ｂが表示されてもよい。
【符号の説明】
【０１０７】
１…ガスクロマトグラフ，１０…分析装置，２…ＳＣＤ，３…表示制御装置，８，６１〜６８…状態画像，１１…気化室，１２…カラム，１３…ＧＣ制御部，３６…操作部，２１…電気炉，２２…反応セル，２３…フィルタ，２４…光検出器，２５…オゾン発生器，２６…スクラバ，２７…真空ポンプ，２８…検出制御部，３１…入出力Ｉ／Ｆ，３２…ＣＰＵ，３３…ＲＡＭ，３４…ＲＯＭ，３５…記憶装置，３７…表示部，３８…バス，５０…操作画面，５１…自動起動ボタン，５２…自動起動中断ボタン，５３…自動停止ボタン，５４…自動停止中断ボタン，５５…切替ボタン，７０ａ…オンスイッチ，７０ｂ…オフスイッチ，７１〜７８…操作画像，８０…領域，９０…ＳＣＤメインスイッチ，９１…オンボタン，９３…終了ボタン，１００…分析システム，３０１…操作受付部，３０２…操作判定部，３０３…表示制御部，３０７…動作制御部，Ｆ１〜Ｆ４…流量制御装置
【図１】
2020038104.tif 000003
【図２】
2020038104.tif 000004
【図３】
2020038104.tif 000005
【図４】
2020038104.tif 000006
【図５】
2020038104.tif 000007
【図６】
2020038104.tif 000008
【図７】
2020038104.tif 000009
【図８】
2020038104.tif 000010
【図９】
2020038104.tif 000011
【図１０】
2020038104.tif 000012
【図１１】
2020038104.tif 000013